(57)【要約】【課題】画像表示面に対して装着した状態と画像表示面から離脱した状態とを容易に切り替えて使用することができる視野角制御部材を提供する。【解決手段】入射した光の視野角を制限して出射するシート状の視野角制御シートと、視野角制御シートの縁から突出して配置される固定部材と、を有し、固定部材には、粘着剤が配置された粘着部を具備しており、粘着部と視野角制御シートの縁との間には粘着剤が配置されない非粘着部が形成されている。【選択図】図１
2018060142.tif 000002
【特許請求の範囲】
【請求項１】
入射した光の視野角を制限して出射するシート状の視野角制御シートと、
前記視野角制御シートの縁から突出して配置される固定部材と、を有し、
前記固定部材には、粘着剤が配置された粘着部を具備しており、
前記粘着部と前記視野角制御シートの縁との間には粘着剤が配置されない非粘着部が形成されている、視野角制御部材。
【請求項２】
前記視野角制御シートは、
透明な基材層と、前記基材層の一方の面に配置された視野角制御層と、を有し、
前記視野角制御層は、光を透過する光透過部と光を吸収する光吸収部とが層面に沿った方向に交互に配列されている、請求項１に記載の視野角制御部材。
【請求項３】
前記視野角制御層の一部には、視野角を制限しない部位が設けられている請求項１又は２に記載の視野角制御部材。
【請求項４】
画像表示面を備える表示装置本体と、
請求項１乃至３のいずれかに記載の視野角制御部材と、を備え、
前記視野角制御部材の視野角制御シートは粘着されることなく前記表示装置本体の前記画像表示面に対して着脱可能に配置され、
前記視野角制御シートの前記固定部材の前記粘着部が前記画像表示面以外の前記表示装置本体の部位に貼り付けられることにより前記視野角制御部材が前記表示装置本体に固定されている、表示装置。
【発明の詳細な説明】
【技術分野】
【０００１】
本発明は映像の視野角を制御する視野角制御部材に関し、画像表示面への着脱が容易に行うことができる視野角制御部材、及びこれを備える表示装置に関する。
【背景技術】
【０００２】
近年、端末機器の携行性が向上し、その画面も大型化している。このような端末機器の携行性向上に伴って公共の場で画面を見る機会が増え、覗き見の懸念も大きくなる。
【０００３】
このような覗き見防止のために例えば特許文献１に記載のような技術が開示されている。これによれば光と透過する部位と光を吸収する部位とが交互に配置されることにより、視野角を制限して覗き見を防止することができる。
しかしながら、このような視野角制御シートは、映像光の一部を吸収するので、どうしても画像が暗くなる傾向にある。
【０００４】
これに対して例えば非特許文献１、及び非特許文献２には、フィルターの着脱が可能な技術が開示されている。
【先行技術文献】
【特許文献】
【０００５】
【特許文献１】特開２００６−１７１７００号公報
【非特許文献】
【０００６】
【非特許文献１】http://www2.elecom.co.jp/products/EF-PFS116W.html
【非特許文献２】http://www2.elecom.co.jp/products/PM-A15LFLGMPF.html
【発明の概要】
【発明が解決しようとする課題】
【０００７】
しかしながら、特許文献１に記載の技術では、覗き見を防止するフィルムの取り付けと、取り外しをすることはできるが、取り付けと取り外しとの繰り返しにより、粘着テープの粘着力が低下し、継続して貼り付けることができなくなる不具合があったり、取り外した後のフィルターの再取り付けの際の利便性に不具合があったりした。
【０００８】
また、特許文献２に記載の技術では貼り直しは可能であるが、フィルムを貼った状態とフィルムを剥がした状態とを切り替えて使用することは想定されていない。
【０００９】
そこで本発明は、上記の問題に鑑み、画像表示面に対して装着した状態と画像表示面から離脱した状態とを容易に切り替えて使用することができる視野角制御部材を提供することを課題とする。また、これを備える表示装置を提供する。
【課題を解決するための手段】
【００１０】
以下、本発明について説明する。
【００１１】
本発明の１つの態様は、入射した光の視野角を制限して出射するシート状の視野角制御シートと、視野角制御シートの縁から突出して配置される固定部材と、を有し、固定部材には、粘着剤が配置された粘着部を具備しており、粘着部と視野角制御シートの縁との間には粘着剤が配置されない非粘着部が形成されている、視野角制御部材である。
【００１２】
ここで、視野角制御シートは、透明な基材層と、基材層の一方の面に配置された視野角制御層と、を有し、視野角制御層は、光を透過する光透過部と光を吸収する光吸収部とが層面に沿った方向に交互に配列されている構成をすることもできる。
【００１３】
また、視野角制御層の一部には、視野角を制限しない部位が設けられてもよい。
【００１４】
また、画像表示面を備える表示装置本体と、上記視野角制御部材と、を備え、視野角制御部材の視野角制御シートは粘着されることなく表示装置本体の前記画像表示面に対して着脱可能に配置され、視野角制御シートの固定部材の粘着部が画像表示面以外の表示装置本体の部位に貼り付けられることにより視野角制御部材が表示装置本体に固定されている、表示装置を提供することができる。
【発明の効果】
【００１５】
本発明によれば、携帯端末等の表示装置本体の画像表示面に対して装着した状態と画像表示面表示面から離脱した状態とを容易に切り替えることができる視野角制御部材となる。
【図面の簡単な説明】
【００１６】
【図１】図１（ａ）は視野角制御部材１０の平面図、図１（ｂ）は視野角制御部材１０の底面図である。
【図２】視野角制御部材１０の断面図である。
【図３】視野角制御シート１１の断面の一部を拡大した図である。
【図４】固定部材２０を説明する図である。
【図５】図５（ａ）は表示装置本体１に視野角制御部材１０を取り付けた場面における表示装置５の平面図、図５（ｂ）は表示装置５の底面図である。
【図６】図６（ａ）は図５（ａ）に矢印Ｖａで示した方向から見た図、図６（ｂ）は視野角制御部材１０の異なる姿勢を説明する図である。
【図７】表示装置５の他の姿勢について説明する図である。
【図８】変形例の視野角制御部材１０’を説明する図である。
【発明を実施するための形態】
【００１７】
以下、本発明を図面に示す形態に基づき説明する。ただし、本発明はこれら形態に限定されるものではない。これら図面では、微小であったり、薄く形成された要素であったりしても、わかりやすさのために変形や拡大して表すことがあり、同じ要素が繰り返し配置されている際には符号を一部について省略することがある。
【００１８】
図１は１つの形態を説明する図であり、視野角制御部材１０の外観図である。図１（ａ）は平面図、図１（ｂ）は底面図である。また図２には、図１にＩＩ−ＩＩで示した線に沿って切断したときの視野角制御部材１０の断面図を表した。
【００１９】
図２からわかるように、視野角制御部材１０は、視野角制御シート１１、及び固定部材２０を有して構成されている。
【００２０】
視野角制御シート１１は、基材層１２及び視野角制御層１３を有して構成されている。この中で特に視野角制御層１３は、後述するように、入光側から入射した光の進行方向を変化させて出光側から出射させ、正面方向（法線方向）の輝度を集中的に向上させる機能（集光機能）を有し、これにより視野角を制限している。
図３には、図２のうち視野角制御シート１１の一部を拡大して表した。
【００２１】
図１〜図３よりわかるように、基材層１２は視野角制御層１３を支持する平板状のシート状の透光性の部材である。
基材層１２をなす材料としては、種々の材料を使用することができる。ただし、表示装置等に用いられる光学シート用の材料として広く使用され、優れた機械的特性、光学特性、安定性および加工性等を有するとともに安価に入手可能な材料を用いることができる。これには例えばポリエチレンテレフタレート（ＰＥＴ）樹脂、トリアセチルセルロース（ＴＡＣ）樹脂、メタクリル樹脂、ポリカーボネート樹脂等を挙げることができる。この中でも複屈折の少ないＴＡＣ樹脂、メタクリル樹脂、ポリカーボネート樹脂を用いることが好ましい。さらには、車内に置かれる環境を想定して高い耐熱性を有するように構成することもでき、その際には、ガラス転移点が高いポリカーボネート樹脂が望ましい。具体的にはポリカーボネート樹脂のガラス転移点は１４３℃と高い温度である。
【００２２】
基材層１２の厚さは特に限定されないが、２５μｍ以上３００μｍ以下であることが好ましい。基材層１２の厚さがこの範囲を外れると、加工性に問題を生じる虞がある。例えば、基材層１２が２５μｍより薄くなるとしわが生じやすくなる。また、基材層１２が３００μｍより厚くなると、製造時において視野角制御層１３を積層した後の巻き取りが困難になる虞がある。
【００２３】
視野角制御層１３は、基材層１２の一方の面に積層された層で、層面に沿って光透過部１４と光吸収部１５とが交互に配列されている。
【００２４】
本形態では、視野角制御層１３は、図３に示した断面を有して紙面奥／手前側に延びる形状を備える。すなわち、図３に表れる断面において、略台形である光透過部１４と、隣り合う２つの光透過部１４の間に形成された断面が略台形の光吸収部１５と、を具備している。
【００２５】
光透過部１４は光を透過させることを主要の機能とする部位であり、本形態では図２、図３に表れる断面において、基材層１２側に長い下底、その反対側に短い上底を有する略台形の断面形状を有する要素である。光透過部１４は、基材層１２の層面に沿って当該断面を維持して延びるとともに、この延びる方向とは異なる方向に間隔を有して複数配列される。そして、隣り合う光透過部１４の間には、略台形断面を有する間隔が形成されている。従って、当該間隔は、光透過部１４の上底側に長い下底を有し、光透過部１４の下底側に短い上底を有する台形断面を有し、ここに後述する必要な材料が充填されることにより光吸収部１４が形成される。なお、本形態では隣り合う光透過部１４は長い下底側で土台部１３ａにより連結されている。
【００２６】
光透過部１４は屈折率がＮｔとされている。このような光透過部１４は、透過部を構成する組成物を硬化させることにより形成することができる。詳しくは後で説明する。屈折率Ｎｔの値は特に限定されることはないが屈折率は１．５５以上であることが好ましい。ただし、屈折率が高すぎる材料は割れやすい場合が多いので屈折率は１．６１以下であることが好ましい。より好ましくは１．５６以下である。
【００２７】
光吸収部１５は隣り合う光透過部１４の間に形成された上記した間隔に形成される間部として機能し、間隔の断面形状と同様の断面形状となる。従って短い上底が基材層１２側を向き、長い下底がこれとは反対側となる。そして光吸収部１５は、屈折率がＮｒとされるとともに、光を吸収することができるように構成されている。具体的には屈折率がＮｒであるバインダーに光吸収粒子が分散される。屈折率Ｎｒは、光透過部１４の屈折率Ｎｔより低い屈折率とされることが好ましい。光吸収部１５の屈折率を光透過部１４の屈折率より小さくすることにより、所定の条件で光透過部１４に入射した光を光吸収部１５との界面で適切に全反射させることができる。また、全反射条件を満たさない場合にも一部の光は当該界面で反射する。これにより観察者に提供される画像の輝度を高めることができる。屈折率Ｎｒの値は特に限定されることはないが、当該全反射を適切に行う観点から１．５０以下であることが好ましく、その中でも入手性の観点から１．４７以上が好ましい。より好ましく１．４９以上である。
ただし、これに限らず、光吸収部１５の屈折率を光透過部１４の屈折率以上としてもよい。これによれば、多くの光を全反射させずに光吸収部１４に吸収することができる。従って、観察者へ提供される光は暗くなるが、視野角をより狭めることが可能となる。
【００２８】
光透過部１４の屈折率Ｎｔと光吸収部１５の屈折率Ｎｒとの屈折率の差は特に限定されるものではないが、光透過部１４と光吸収部１５との界面による全反射を利用して正面方向の輝度を向上される場合には、屈折率差は０．０５以上０．１４以下であることが好ましい。屈折率差を大きくすることにより、より多くの光を全反射させることができる。
【００２９】
視野角制御１３では、特に限定されることはないが、例えば次のように光透過部１４及び光吸収部１５が形成される。すなわち、図３にＰｋで表した光透過部１４及び光吸収部１５のピッチは２０μｍ以上１００μｍ以下であることが好ましい。また、図４にθｋで示した光透過部１４と光吸収部１５との斜辺における界面と、視野角制御層１３の層面の法線と、の成す角は０°以上１０°以下であることが好ましい。なお、θｋが０°の場合には光透過部１４、光吸収部１５は長方形又は正方形となる。
そして図３にＤｋで示した光吸収部１４の厚さは５０μｍ以上１５０μｍ以下であることが好ましい。これらの範囲内とすることにより、光の透過と光の吸収とのバランスが取り易い。
【００３０】
本形態では光透過部１４と光吸収部１５との界面が断面において一直線状となる例を示したが、これに限らず折れ線状、凸である曲面状、凹である曲面状等であってもよい。また、複数の光透過部１４及び光吸収部１５で断面形状が同じであってもよいし、所定の規則性を有して異なる断面形状であってもよい。
【００３１】
また、視野角制御シート１１の厚さは、全体で３００μｍ以上５００μｍ以下であることが好ましい。視野角制御シート１１が３００μｍより薄いとコシが足りず、使用時に撓みに問題が生じる虞がある。また５００μｍよりも厚いと視野角制御部材１０を適用した表示装置本体（携帯端末など）のタッチパネルによる操作機能を阻害する虞がある。
【００３２】
なお、視野角制御シート１１には、その表面に粘着剤やその他の、他の部材に吸着しやすい材料が配置されないことが好ましい。これにより、視野角制御シート１１を表示装置本体の画像表示面から離脱させることがさらに容易になる。
【００３３】
視野角制御シート１１は例えば次のように作製できる。
はじめに基材層１２の一方の面に光透過部１４を形成する。これは、光透過部１４の形状が転写できる形状を表面に有する金型ロールと、これに対向するように配置されたニップロールとの間に、基材層１２となる基材シートを挿入する。このとき、基材シートと金型ロールとの間に光透過部を構成する組成物を供給しながら金型ロール及びニップロールを回転させる。これにより金型ロールの表面に形成された光透過部に対応する溝（光透過部形状を反転した形状）に光透過部を構成する組成物が充填され、該組成物が金型ロールの表面形状に沿ったものとなる。
【００３４】
ここで、光透過部を構成する組成物としては、例えば、エポキシアクリレート系、ウレタンアクリレート系、ポリエーテルアクリレート系、ポリエステルアクリレート系、ポリチオール系等の電離放射線硬化型の樹脂を挙げることができる。
【００３５】
金型ロールと基材シートとの間に挟まれ、ここに充填された光透過部を構成する組成物に対し、基材シート側から光照射装置により硬化させるための光を照射する。これにより、組成物を硬化させ、その形状を固定させることができる。そして、離型ロールにより金型ロールから基材層１２および成形された光透過部１４を離型する。
【００３６】
次に、光吸収部１５を形成する。光吸収部１５を形成するには、まず、上記形成した隣り合う光透過部１４の間隔に光吸収部を構成する組成物を充填する。その後、余剰分の当該組成物をドクターブレード等で掻き落とす。そして、残った組成物に光透過部１４側から紫外線を照射することによって硬化させ、光吸収部１５を形成することができる。
【００３７】
光吸収部として用いられる材料は特に限定されないが、例えば、ウレタン（メタ）アクリレート、ポリエステル（メタ）アクリレート、エポキシ（メタ）アクリレート、およびブタジエン（メタ）アクリレート等の光硬化型樹脂の中に着色された光吸収粒子が分散されている組成物を挙げることができる。
【００３８】
また光吸収粒子を分散させる代わりに顔料や染料により光吸収部全体を着色することもできる。
光吸収粒子を用いる場合には、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は１．０μｍ以上２０μｍ以下であることが好ましい。
【００３９】
これにより基材層１２の一方の面に視野角制御層１３が形成された視野角制御シート１１が作製される。
【００４０】
図１、図２に戻って、固定部材２０について説明する。固定部材２０は、視野角制御シート１１を対象とする表示装置本体に固定して表示装置とするための部材である。そしてその固定により視野角制御シート１１を表示装置本体の画像表示面からの装着及び離脱を容易に行うことができるように構成されている。図４には図１（ｂ）のうちの一方の固定部材２０の部位に注目して拡大した図を表した。具体的に本形態の固定部材２０は、連結部材２１及び粘着部２２を有して構成されている。
【００４１】
連結部材２１は、視野角制御シート１１と、視野角制御部材１０を取り付ける表示装置本体１（図５等参照）とを繋ぐ部材であり、本形態では長方形の短冊状のシートである。当該シートの材質は特に限定されることはないが、例えば視野角制御シート１１の基材層と同様の材料を用いることができる。
図１（ｂ）、及び図４からよくわかるように、連結部材２１は、その一端は視野角制御シート１１に固定され、他端側は視野角制御シート１１の縁から突出するように配置される。
【００４２】
連結部材２１の幅（連結部材が視野角制御シート１１から突出する方向に直交する方向の大きさ、図４の紙面上下方向大きさ。）は固定部材２０を配置する数によって適宜設定できる。例えば１つの固定部材２０を配置する場合には幅を大きくすることができ、複数の固定部材２０を配置する場合にはそれぞれの固定部材２０の幅は小さくすることができる。
連結部材２１の厚さは特に限定されることはないが、２５μｍ以上２００μｍ以下が好ましい。厚さが２５μｍより薄いと破壊しやすくなり、２００μｍより厚いと折り曲げたときに戻ろうとする力が強くなり、曲げにくくなる虞がある。
連結部材２１の長さは、適用する表示装置本体の厚さに応じて適宜設計することができる。少なくとも後述する非粘着部２０ａが表示装置本体の厚さ以上となるように構成されることが好ましい。
【００４３】
粘着部２２は、連結部材２１を表示装置本体１に粘着し、視野角制御部材１０を表示装置本体１に保持させるための粘着部である。これにより表示装置５となる。このような粘着部２２は連結部材２１の表面のうち視野角制御シート１１に固定された一端とは反対側の他端側に配置される。ここで、粘着部２２は視野角制御シート１１の表裏面のうち、表示装置本体１に接触する側の面に配置される。これにより適切に視野角制御部材１０を表示装置本体１に固定することができる。
【００４４】
粘着部２２を構成する材料は特に限定されず、公知の粘着剤、接着剤を用いることができる。より具体的な例としては、粘着部２２としてアクリル系粘着剤を用いること好ましい。またその厚さは、１０μｍ以上５０μｍ以下であることが好ましい。１０μｍより薄いと貼り付けが弱く、剥がれやすくなる虞がある。また５０μｍより厚いと粘着剤、接着剤のはみ出しが生じ易くなり、はみ出すと汚れが発生してしまう。
【００４５】
ここで、図４にＧで示したように、固定部材２０を視野角制御シート１１に配置し、固定部材２０を視野角制御シート１１から離隔する方向に延ばした姿勢で、視野角制御シート１１の縁と粘着部２２との間には粘着剤が配置されない非粘着部２０ａが形成される。その距離は特に限定されることはないが、視野角制御部材１０が配置される端末の厚さと同等又はそれより若干大きくなることが好ましく、かかる観点から５ｍｍ以上３０ｍｍ以下であることが好ましい。これにより後述するように、視野角制御部材１０を表示装置本体１に取り付けた際に、視野角制御シート１１を表示装置本体１に対して装着及び離脱させることをより容易に行うことができる。
【００４６】
このような固定部材２０が本形態では２つ配置されている。ただしその数は特に限定されることはなく１つ以上配置されていればよい。
【００４７】
次に、以上のような構成を備える視野角制御部材１０の作用について、光路例等を示しつつ説明する。ただしここで示す光路例は説明のための概念的なものであり、反射や屈折の程度を厳密に表したものではない。
【００４８】
図５（ａ）、図５（ｂ）、及び図６（ａ）には、視野角制御部材１０を表示装置本体１に配置して表示装置５とし、視野角を制限している姿勢とした図を表している。ここで表示装置本体１は、携帯型端末機器（いわゆるスマートフォンやタブレット型端末）であり、全体としては板状であってその少なくとも一方の面に画像表示面を有するものである。
図５（ａ）は平面図、図５（ｂ）は底面図、図６（ａ）は図５（ａ）にＶａで示した矢印の方向から見た図である。
また図５（ａ）にはわかり易さのため、視野角制御部材１０の表面に光吸収部１５を線で表している。従って、本例では光透過部１４、及び光吸収部１５は紙面上下方向に延び、紙面左右方向に光透過部１４と光吸収部１５とが交互に配置されている。
【００４９】
図５（ａ）、図５（ｂ）、及び図６（ａ）からわかるように、表示装置５で視野角を制限する際には、視野角制御シート１１を表示装置本体１の画像表示面に重ねるように配置する。このとき、光透過部１４の断面が台形である場合には、表示装置本体１の画像表示面側に光透過部１４の短い上底側が向くように配置することが好ましい。
そして、固定部材２０の連結部材２１を表示装置本体１の縁に沿って回り込ませるようにして、固定部材２０のうち粘着部２２が配置された端部（他端）を表示装置本体の背面側（画像表面とは反対側の面）に配置し、粘着部２２を表示装置本体１の背面に固定する。これにより視野角制御部材１０が表示装置本体１に保持されて表示装置５となる。
【００５０】
このような姿勢では、表示装置本体１から出射した光は図３に示したように視野角制御層１３に入射する。そして視野角制御層１３に入射した光は例えば次のような光路を有して進行する。
例えば図３にＬ３１で示した映像光は、光透過部１４と光吸収部１５との界面に達することなく光透過部１４を透過する。このような映像光はもともと画像表示面の正面方向に進む光であり、覗き見される映像光にはならないので、制限する必要がなく、このような映像光は吸収されることなく観察者に視認される。
図３にＬ３２で示した映像光は、光透過部１４と光吸収部１５との界面に達して全反射して光透過部１４を透過する。このとき、当該界面の傾斜角度（θｋ）の作用により、界面で反射した光は表示装置本体１の画像表示面の法線に平行な方向（画像表示面の正面方向）に近づけられる。また、全反射臨界角より小さい角度のため全反射しない光であってもそのうちの一部は当該界面で反射するものもある。このような光は、向きが変えられることにより正面方向に向けられるので覗き見の対象とはならない映像光になる。
さらに図３にＬ３３で示した映像光はさらに正面に対して広がる方向に進む光であるが、これは光吸収部１５で吸収されるため覗き見の対象とならなくなる。
【００５１】
一方、図３にＬ３４で示したようにシート面法線に対して大きな角度で観察者側から入射した光は光吸収部１５に吸収される。これにより、外光の一部が吸収されるのでコントラストを向上させることができる。
【００５２】
このような視野角制御部材１０により、本形態では、表示装置本体１からの映像光のうち左右方向に隣接する人による覗き見の対象となるような映像光を抑制し、効率よく覗き見を防止することができる。
【００５３】
以上説明した視野角制御の姿勢（覗き見防止の姿勢）から、図６（ａ）に点線矢印で示したように、視野角制御シート１１をページをめくるように固定部材２０を中心に回転させ、最終的に図６（ｂ）に示したように視野角制御シート１１を表示装置本体１の画像表示面から離脱させせる。本形態では視野角制御シート１１を表示装置本体１の背面側にまで回動させたが、必ずしもこれに限らない。
このような姿勢によれば、表示装置本体１から出射される画像は視野角の制限を受けず、広い範囲で画像が出射される。これによればより明るい画像を見ることができ、また、他人と一緒に表示装置本体１から出光する画像を見ることができる。
【００５４】
再度、視野角を制御したいときは、上記を遡るようにして視野角制御シート１１を回動させて、視野角制御シート１１を表示装置本体１の画像表示面に重ねるように配置すればよい。
【００５５】
視野角制御部材１０は、固定部材２０の視野角制御シート１１に固定された一端と、表示装置本体１に固定される粘着部２２との間に非粘着部を設けている。これにより、表示装置５としたときに、表示装置本体１に視野角制御部材１０を保持しつつ、安定して視野角制御部材１０を表示装置本体１の画像表示面に配置することができるとともに、視野角を制御して覗き見を防止する姿勢と、視野角制御部材１０を表示装置本体１の画像表示面から離脱させた姿勢と、を容易に切り替えることができる。
【００５６】
また、その際には、視野角制御シート１１に、表示装置本体１の画像表示面に吸着させるための特別な要素を設けることなく、視野角制御シート１１を表示装置本体１に保持できるため、安定して繰り返して切り替えを容易に行うことが可能である。
【００５７】
図７は、表示装置本体１の長手方向が水平になるように表示装置５を置いた場面を表している。この場合は、本形態では光透過部及び光吸収部が延びる方向が水平となり、光透過部と光吸収部とが交互に配列する方向が鉛直となる。
これによれば、視野角の制限方向が鉛直方向となる。従って、車の中でこのように配置すれば、上方に向かう光を遮断することができるので、フロントガラスへの映像の映り込みを防止することが可能である。そしてこの場合でも視野角制御シート１１の着脱は上記と同様に行うことができる。
【００５８】
図８は変形例にかかる視野角制御部材１０’を説明する図である。視野角制御部材１０’では、視野角制御シート１１の一部に視野角を制御しない部位１１ａが具備されている点が視野角制御部材１０と異なる。
この部位１１ａは表示装置本体が備えるセンサ、マイク、スピーカー、カメラレンズ等に対応する位置に配置される。これにより、表示装置本体１が具備する機能を阻害することなく機能を発揮させることができる。
視野角を制御しないための具体的形態は、特に限定されることはないが、この部位に穴を開ける、視野角制御層を具備しない（基材層のみとする。）、光吸収を具備しない等を挙げることができる。
【符号の説明】
【００５９】
１  表示装置本体
５  表示装置
１０、１０’  視野角制御部材
１１  視野角制御シート
１２  基材層
１３  視野角制御層
１４  光透過部
１５  光吸収部
２０  固定部材
２０ａ  非粘着部
２１  連結部材
２２  粘着部
【図１】
2018060142.tif 000003
【図２】
2018060142.tif 000004
【図３】
2018060142.tif 000005
【図４】
2018060142.tif 000006
【図５】
2018060142.tif 000007
【図６】
2018060142.tif 000008
【図７】
2018060142.tif 000009
【図８】
2018060142.tif 000010